(57)【特許請求の範囲】
【請求項１】
引き出し（２）の前面パネル（３）を引き出し（２）の側面フレーム（４）に固定するための支持デバイス（６）であって、前面パネル（３）を調節するために、支持デバイス（６）には、高さ調節用偏心器（１０）と横方向調節用スクリュー（１１）とが設けられている支持デバイス（６）において、
前記支持デバイス（６）内の前記高さ調節用偏心器（１０）の回転軸線（３０）と平行になるように、前記横方向調節用スクリュー（１１）が前記高さ調節用偏心器（１０）の断面内に配置されてなることを特徴とする支持デバイス。
【請求項２】
前記高さ調節用偏心器（１０）が、前記横方向調節用スクリュー（１１）にマウントされ、そのネジ山と係合してなることを特徴とする請求項１に記載の支持デバイス。
【請求項３】
前記高さ調節用偏心器（１０）が、２つのフロントフランジ（１０ａ、１０ｂ）と、該２つのフロントフランジに対して偏心し、それらの間に挟まれているコア部（１０ｃ）とを有するように構成され、前記横方向調節用スクリュー（１１）により貫通されるネジ付き切削孔（１３）を有してなることを特徴とする請求項１または２に記載の支持デバイス。
【請求項４】
２つのフロントフランジのうちの１つ（１０ｂ）には雄ネジ山（１０ｄ）が設けられ、前記支持デバイス（６）にはスパイラルバネ（２１）が固定され、該スパイラルバネ（２１）には、前記雄ネジ山（１０ｄ）の歯と歯との間にあるギャップと係合する固定用の歯（２２）が設けられていることを特徴とする請求項１乃至３のうちのいずれか一項に記載の支持デバイス。
【請求項５】
２つのフロントフランジ（１０ａ、１０ｂ）のうちの１つ、好ましくは雄ネジ山が設けられている前記フロントフランジ（１０ｂ）に対向する前記フロントフランジ（１０ａ）には、ツール受入部（２３）がネジ付き切削孔（１３）に対して同心円状に延びる段階的に配列される円領域上に設けられていることを特徴とする請求項１乃至４のうちのいずれか一項に記載の支持デバイス。
【請求項６】
前記ツール受入部（２３）が十字状の孔の形状で有する孔として配置されてなることを特徴とする請求項５に記載の支持デバイス。
【請求項７】
前記横方向調節用スクリュー（１１）には、十字状の孔（２５）を有する頭部（１５）が設けられてなることを特徴とする請求項１乃至６のうちのいずれか一項に記載の支持デバイス。
【請求項８】
前記支持デバイス（６）がフォーク部材（１２）を有し、該フォーク部材の前記中央部には、前記前面パネル(３)に固定しうる支持部（９）が中央部（１２ａ）により支えられまたは前記中央部（１２ａ）に接続され、前記フォーク部材の側面脚部（１２ｂ）と側面脚部（１２ｃ）との間には、前記高さ調節用偏心器（１０）および前記横方向調節用スクリュー（１１）がマウントされてなることを特徴とする請求項１乃至７のうちのいずれか一項に記載の支持デバイス。
【請求項９】
前記フォーク部材（１２）の前記フロント自由端部が、ピン（２０）による連結が可能となるように間隔をおいて配置され、前記ピン（２０）が、前記ロックユニット（７）の保持用フックに接触するように配置されてなることを特徴とする請求項８に記載の支持デバイス。
【請求項１０】
フロントフランジ（１０ａ、１０ｂ）のツール受入部（２３）が、フォーク部材（１２）の側面脚部（１２ｂ）の扇形状の孔（２４）の領域内に位置してなることを特徴とする請求項１乃至９のうちのいずれか一項に記載の支持デバイス。
【請求項１１】
前記横方向調節用スクリュー（１１）が、一方において、頭部の下方のシリンダ形状の突出部（１４）を介して、また他方において、ランアップフランジのシリンダ形状のスタッブ（１７）を介して、フォーク部材（１２）の２つの側面脚部（１２ｂ、１２ｃ）内に回転可能にマウントされており、前記シリンダ形状の突出部（１４）および前記シリンダ形状のスタッブ（１７）が、前記横方向調節用スクリュー（１１）の外径を越えて延び、軸線方向に沿って前記２つの側面脚部（１２ａ、１２ｂ）の内面までまたはそれを越えて延びており、その結果、前記シリンダ形状の突出部（１４）および前記シリンダ形状のスタッブ（１７）により支持部が形成され、前記シリンダ形状の突出部（１４）および前記シリンダ形状のスタッブ（１７）の互いに対面するフロント側面が前記高さ調節用偏心器（１０）の変位に対する境界面を形成するように構成されていることを特徴とする請求項１乃至１０のうちのいずれか一項に記載の支持デバイス。
【発明の詳細な説明】
【技術分野】
【０００１】
本発明は、前面パネルを調節するための高さ調節用偏心器および横方向調節用スクリューを装備する、引き出しの前面パネルを側面フレームに固定するための支持デバイスに関するものである。
【背景技術】
【０００２】
上述の種類の支持デバイスは、公知になっているものであり、前面パネルを引き出しの側面フレームに調整可能に固定することを可能とするために用いられている。このような支持デバイスは、引き出しの前面パネルにペアで固定され、当該引き出しの側面フレームの各々に位置する受入れ領域に挿入される。これらの支持デバイスにより、前面パネルの固定は、まず側面フレームの長手方向に沿って行われる。
家具の組立ての際に必要とされるかつ製造にあたって避けられない許容誤差のため、引き出しに固定した後で前面パネルを横方向および高さ方向に調節することが必要となる場合が多い。上下に配置された複数の引き出しの２つの前面パネル間のギャップを調節するため、および／または、上下に配置された複数の前面パネルの側面フロントエッジ（ｌａｔｅｒａｌ  ｆｒｏｎｔ  ｅｄｇｅ）を整列させることを可能とするためである。
このような調節は、家具の耐用年数を通じて複数回必要となるため、ユーザーまたは技術訓練を受けていない人によっても行なわれる。
【発明の概要】
【発明が解決しようとする課題】
【０００３】
この種類の支持デバイス、すなわち高さ調節用偏心器と横方向調節用スクリューとが該支持デバイス内に配置されている支持デバイスの場合、最近まで、高さ調節用偏心器および横方向調節用スクリューは２つの異なる軸線領域に沿って支持デバイス内に取り付けられていた。このため、必要となる支持デバイスの全体的なサイズが比較的大きなものとなり、消費される材料の量の点および必要となる空間の点において不利であった。
とくにユーザーまたは技術訓練を受けていない人により調節が行われる場合や、モーター駆動型のツールが用いられる場合には、従来の公知の支持デバイスでは、横方向調節用スクリューのリミットストップや、高さ調節用偏心器にリミットストップがある場合にはそれらのリミットストップが、過剰にねじられてしまい、支持デバイスが壊れてしまうというようなことが極めてた易く発生していた。
【課題を解決するための手段】
【０００４】
本発明は、公知の技術よりも非常にコンパクトに構築されるとともに、機能要件に関して不利な点のない上述の種類の支持デバイスを提供するという目的に基づいてなされたものである。
この目的は、本発明に従って、支持デバイス内の高さ調節用偏心器の回転軸線に対して平行になるように高さ調節用偏心器の断面内に横方向調節用スクリューを配置することにより達成される。
この手法により、支持デバイスのサイズが相当小さくなる。何故なら、高さ調節用偏心器の軸線と横方向調節用スクリューの軸線とが近い位置に配置されるようになるからである。
【０００５】
好ましくは、シリンダ形状の支持部を有する横方向調節用スクリューが支持デバイス内のその支持領域に設けられ、これらのシリンダ形状の支持部がネジ山の直径を僅かに越えて延び、当該シリンダ形状の支持部の互いに対面する表面により、高さ調節用偏心器の横方向の変位に対する境界面（ｌｉｍｉｔｉｎｇ  ｐｌａｎｅｓ）が形成される。
このような構成において、横方向調節用スクリューが１つの調節方向に向かって最大限にねじられると、高さ調節用偏心器が上述の表面のうちの１つに到達し、このことにより、横方向調節用スクリューが同じ回転方向に向かってさらにねじられた場合には、高さ調節用偏心器が横方向調節用スクリューと最終的に一緒にねじられることになる。従って、横方向調節用スクリューを「過剰にねじって」しまった場合であっても支持デバイスが壊れてしまうというような恐れがもはやなくなる。
【０００６】
好ましくは、高さ調節用偏心器は、２つのフロントフランジと、当該２つのフロントフランジ間に挟まれかつそれらに対して偏心して設けられるコア部とを有するように構成され、高さ調節用偏心器には、横方向調節用スクリューによって貫通されるネジ付き切削孔が設けられている。
上述のように高さ調節用偏心器を横方向調節用スクリューに固定すると、高さ調節用偏心器を横方向調節用スクリューの軸線を中心にねじることにより前面パネルをその高さ位置について調節することができ、横方向調節用スクリューをねじることで高さ調節用偏心器を横方向に変位させることにより前面パネルを横方向について調節することができるようになる。高さ調節用偏心器は、回転角度についてなんの制限もなく、すなわち３６０度を超えてねじることができる。
横方向調節用スクリューがリミットストップに到達すると、すなわち横方向調節用スクリューが、その突出部に対応するフロントフランジの外面に到着すると、横方向調節用スクリューが同じ回転方向に向かってねじり続けられたとしてもその回転運動を止めるものはない。というのは、高さ調節用偏心器の締め付けトルクは支持デバイスに対するトルクを超えてしまうから、すなわち高さ調節用偏心器が横方向調節用スクリューと同じ回転角度でねじられるからである。
本発明のさらなる特徴は従属項の請求項に記載されている。
【図面の簡単な説明】
【０００７】
本発明の実施形態が、添付の図面に例示され、以下により詳細に説明されている。
【図１】家具本体から一部が引き出されている、前面パネルを有した引き出しを備えている家具を示す斜視図である。
【図２】支持デバイスとロックユニットとからなる、前面パネルを引き出しに固定するための連結具を示す側面図である。
【図３】本発明にかかる支持デバイスを示す分解斜視図である。
【図４】組み立てられた状態にある支持デバイスを示す斜視図である。
【図５】図４の見る方向とは反対の方向から見た場合の支持デバイスを示す斜視図である。
【図６】図４の矢印ＶＩの示す方向から見た図であって、矢印ＶＩの示す方向から見た場合の前側に位置する支持デバイスの脚部が省略された図である。
【図７ａ】図４の矢印ＶＩＩの示す方向から見た図であって、調節位置が異なっている図である。
【図７ｂ】図４の矢印ＶＩＩの示す方向から見た図であって、調節位置が異なっている図である。
【図７ｃ】図４の矢印ＶＩＩの示す方向から見た図であって、調節位置が異なっている図である。
【発明を実施するための形態】
【０００８】
図１には、上下に配置された数個の引き出し２を備えている家具が全体的に符号１にて示されている。
これらの引き出し２の各々は、前面パネル３を有し、該前面パネル３は、図２に記載の連結具５を用いた公知の方法で側面フレーム４に接続されている。各連結具５は、支持デバイス６と、ロックユニット７とを有し、ロックユニット７はフレーム４内に配置されるようになっている。本発明の主題事項である支持デバイス６は、各前面パネル３に堅固に取り付けることができる。支持デバイス６を前面パネル３に堅固に取り付けるため、支持デバイス６に挿入ペグ８を設けることができる。これらの挿入ペグ８は、支持部９に一体的に形成して前面パネル３のポケット状の切削孔の中に挿入することができる。それに代えて、支持部９に、前面パネル３の中へネジ止め可能な締付ネジ用の貫通孔を設けることもできる。
さらに、支持デバイス６に、高さ調節用偏心器１０および横方向調節用スクリュー１１が設けられ、これら記載の構成部材は、引き出し２に対して前面パネル３を高さおよび横方向に関して調節する可能性を提供している。
【０００９】
とくに図３乃至図７を参照して、支持デバイス６の構成および機能の全体について以下に説明する。
これらの図面に示されているように、高さ調節用偏心器１０は、二股に分かれたフォーク状の部材１２内に配置されており、この二股に分かれたＵ字状の部材１２の中央部１２ａは、支持部９を支えているか、または支持部９に剛性結合されている。横方向調節用スクリュー１１は、側面脚部１２ｂと側面脚部１２ｃとの間に高さ調節用偏心器１０を位置決めするために設けられ、横方向調節用スクリュー１１は、高さ調節用偏心器１０のネジ付き切削孔１３を貫通する。
図７ａ乃至図７ｃには、横方向調節用スクリュー１１の軸線が符号３０により示されている。横方向調節用スクリュー１１は、その頭部１５の下方に位置するシリンダ形状の突出部１４を介して側面脚部１２ｂの切削孔１６に回転可能に取り付けられ、また反対側では、ランアップフランジ（ｒｕｎ−ｕｐ  ｆｌａｎｇｅ）１８のシリンダ形状のスタッブ１７を介して反対側の側面脚部１２ｃの切削孔１９に回転可能に取り付けられる。ランアップフランジは、横方向調節用スクリュー１１に折り返し止め（ｃｌｉｎｃｈ）されるため堅固に接続されるようになっている。シリンダ状の突出部１４およびシリンダ状のスタッブ１７は、横方向調節用スクリュー１１の外径を越えて延び、中央部１２ａおよび側面脚部１２ｂの内面までまたはその内面を越えて軸方向に沿って延びている。従って、シリンダ状の突出部１４およびシリンダ形状のスタッブ１７は支持部を形成し、これら支持部の互いに対面するフロント側面は高さ調節用偏心器１０の変位境界面を形成する。
【００１０】
フォーク部材１２のフロント開放（自由）端部は、ピン２０による連結（インターロック）が可能となるように間隔をおいて配置されており、ピン２０は、接触部（ａｂｕｔｍｅｎｔ）として、後側方向に向かってロックユニット７の保持用フックと係合するようになっている。
図面にさらに詳細に示されているように、高さ調節用偏心器１０は、ほぼコイルのように構成され、２つのフロントフランジ１０ａおよび１０ｂと、それらの間に挟まれたコア部１０ｃとを備え、コア部１０ｃは、その断面が円形状であり、その中心点が、ネジ付き切削孔１３の中心点に対して偏在している。
図から明らかなように、２つのフロントフランジ１０ａおよび１０ｂの外側の寸法はフォーク部材１２の内側の寸法よりも小さくなっている。
【００１１】
高さ調節用偏心器１０の側面に位置するフロントフランジのうちの一方のフランジ１０ｂには、雄ネジ山１０ｄが設けられている。図６に明瞭に示されているように、スパイラルバネ２１は、支持部９に固定されており、このスパイラルバネには、一体式に形成される固定用の歯２２が設けられており、この固定用の歯は、高さ調節用偏心器１０の回転位置に応じて、雄ネジ山１０ｄの歯と歯との間にあるギャップのうちの１つと係合するようになっている。このことにより、摩擦による係止を利用して高さ調節用偏心器１０を固定させることや、それにより保持トルクを生じさせることが可能となっている。
高さ調節用偏心器１０は、横方向調節用スクリュー１１に対してねじってコア部１０ｃを偏心して配置させることにより前面パネル３の高さを調整することができる。何故なら、図２に示されているように、前記の偏心して配置されたコア部１０ｃがロックユニット７（詳細に図示せず）内において支えられるようになっているからである。
【００１２】
符号１０ａが付与されたフロントフランジのツール受入部２３の中にプラスのネジ頭を有したスクリュードライバーの如き簡単なツールを挿入することにより、高さ調節用偏心器１０を簡単にねじることができる。これらのツール受入部２３は、フロントフランジ１０ａに対向する、フォーク部材１２の側面脚部１２ｂの扇形状の孔２４の領域内に位置している。
横方向調節用スクリュー１１を操作することにより前面パネル３の横方向の調節ができる。図５に明瞭に示されているように、上記の目的のため、横方向調節用スクリュー１１の頭部１５には十字状の孔２５が設けられている。横方向調節用スクリュー１１を操作すると、互いに対面する突出部１４のフロント側面とスタッブ１７のフロント側面との間のある与えられた制限範囲内で高さ調節用偏心器１０が横方向に変位する。図７ａ乃至図７ｃには、横方向調節用スクリュー１１の長手方向に沿った高さ調節用偏心器１０の可能な調節範囲が示されている。図２に示されているように、ロックユニット７と結合される支持デバイス６の場合、ロックユニット７のスロットが形成された壁領域は、２つのフロントフランジ１０ａおよび１０ｂの間に配置される。この厚みは、２つのフロントフランジ１０ａとフロントフランジ１０ｂとの間に形成されるスリットの幅に実質的に相当する。従って、高さ調節デバイス１０を横方向に変位することにより前面パネル３の横方向の調節を行うことができる。
記載の構成により、前面パネル３の高さ方向の調整および横方向の調節を簡単に行うことができるようになる。この目的のために配置される支持デバイス６は、とくにコンパクトな構成であることを特徴とする。高さ調節手段（高さ調節用偏心器１０）および横方向調節手段（高さ調節用偏心器１０と共に用いる横方向調節用スクリュー１１）は、高さ調節用偏心器１０の断面内に配置されるので、支持デバイス６内に非常にコンパクトに収容することができる。
【符号の説明】
【００１３】
１  家具
２  引き出し
３  前面パネル
４  側面フレーム
５  連結具
６  支持デバイス
７  ロックユニット
８  挿入ペグ
９  支持部
１０  高さ調節用偏心器
１０ａ  フロントフランジ
１０ｂ  フロントフランジ
１０ｃ  コア部
１０ｄ  雄ネジ山
１１  横方向調節用スクリュー
１２  フォーク部材
１２ａ  中央部
１２ｂ  側面脚部
１２ｃ  側面脚部
１３  ネジ付き切削孔
１４  突出部
１５  頭部
１６  切削孔
１７  シリンダ形状のスタッブ
１８  ランアップフランジ
１９  切削孔
２０  ピン
２１  スパイラルバネ
２２  固定用の歯
２３  ツール受入部
２４  孔
２５  十字状の孔
３０  軸線
【図１】
0005952292.tif 000002
【図２】
0005952292.tif 000003
【図３】
0005952292.tif 000004
【図４】
0005952292.tif 000005
【図５】
0005952292.tif 000006
【図６】
0005952292.tif 000007
【図７ａ）】
0005952292.tif 000008
【図７ｂ）】
0005952292.tif 000009
【図７ｃ）】
0005952292.tif 000010